(57)【要約】      （修正有）【課題】各種の機器の搬入、搬出が容易であり、点検作業が安全に実施できるキュービクル式高圧受電設備を提供する。【解決手段】変圧器と、該変圧器のアース線と、前記変圧器を格納した筐体と、からなるキュービクル式高圧受電設備であって、前記アース線は前記変圧器の近傍に立設する柱部材に対して垂直方向、且つ前記変圧器の上端部より上方であって、前記変圧器を格納した筐体内の高圧負荷開閉器の裏側に敷設されると共に、前記変圧器側の扉の開閉によって視認されない位置に敷設される。この構成によって、作業者が筐体の扉を開閉して作業をする場合に、アース線に触れる等の危険がなく、またキュービクル筐体の増設や筐体内の変圧器などの機器の搬入及び搬出の際の作業性に優れる。【選択図】図１
0003144037.tif 000002
【実用新案登録請求の範囲】
【請求項１】
変圧器と、該変圧器のアース線と、前記変圧器を格納した筐体と、からなるキュービクル式高圧受電設備であって、前記アース線は前記変圧器の近傍に立設する柱部材に対して垂直方向、且つ前記変圧器の上端部より上方であって、該変圧器の上方に設置された高圧負荷開閉器に対向して設けられたバリア板の下部に敷設されると共に、前記筐体の変圧器側扉の開閉によって視認されない位置に敷設されることを特徴とするキュービクル式高圧受電設備。
【考案の詳細な説明】
【技術分野】
【０００１】
本考案は、キュービクル式高圧受電設備であって、該高圧受電設備内の各種の機器の搬入及び撤去が容易であり、さらに点検作業が安全に実施できるキュービクル式高圧受電設備に関するものである。
【背景技術】
【０００２】
従来のキュービクル式高圧受電設備は、図３に示すように箱状のキュービクル筐体１０内に、変圧器２および高圧負荷開閉器３などの配電設備が設置されており、この変圧器２の近傍下部にアース線１１が敷設されており、この変圧器２とアース線１１とを繋ぐ配線の途中に第２種接地電流測定箇所が設定され、漏電の測定作業が行なわれていた。尚、本考案においてアース線１１とは、接地端子で固定された金属バーを指す。
【０００３】
そのため、キュービクル筐体１０内に変圧器２などを取り付けたり、或いはキュービクル筐体１０から搬出する場合には、予めアース線１１を取り外す作業を必要とし、作業効率が悪いものであった。しかもキュービクル筐体１０の裏扉５を開閉して第２種接地電流測定を行なう際には、感電事故等の危険性があった。
【０００４】
そこで、キュービクル筐体に副扉を設け、これに対応した位置に検針作業に必要な操作器具と測定箇所を集中して配置し、主扉を開けなくても、副扉を開けるだけで作業を行なう技術が提案されている（特許文献１参照。）。
【０００５】
【特許文献１】特開平０９−１６３５１８号公報
【考案の開示】
【考案が解決しようとする課題】
【０００６】
しかしながら、上記実用新案登録文献１に提案されている技術は、上記した第２種接地電流測定を行なう際の安全性を考慮したものであるが、主扉を開けて作業する場合には、接地端子は変圧器の下部に敷設されているため、未だに危険性があり、またキュービクル筐体を連結する場合や、変圧器の交換の際には従来と同様に、予め接地端子を取り外す作業が必要であり時間が掛かるという問題もあった。
【０００７】
上記の問題点に鑑み本考案者は、キュービクル式高圧受電設備の第２種接地電流測定などの検針や点検作業において、筐体の扉を開閉して作業をする場合に、アース線に触れる等の危険がなく、またキュービクル筐体の増設や筐体内の変圧器などの機器の搬入及び搬出の際の作業性に優れたキュービクル式高圧受電設備を提供するに至った。
【課題を解決するための手段】
【０００８】
このため本考案のキュービクル式高圧受電設備は、変圧器と、該変圧器のアース線と、前記変圧器を格納した筐体と、からなるキュービクル式高圧受電設備であって、前記アース線は前記変圧器の近傍に立設する柱部材に対して垂直方向、且つ前記変圧器の上端部より上方であって、該変圧器の上方に設置された高圧負荷開閉器に対向して設けられたバリア板の下部に敷設されると共に、前記筐体の変圧器側扉の開閉によって視認されない位置に敷設されることを特徴とする。
【考案の効果】
【０００９】
本考案に係るキュービクル式高圧受電設備によれば、アース線は前記変圧器の近傍に立設する柱部材に対して垂直方向、且つ前記変圧器の上端部より上方であって、該変圧器の上方に設置された高圧負荷開閉器に対向して設けられたバリア板の下部に敷設されると共に、前記筐体の変圧器側扉の開閉によって視認されない位置に敷設されているため、第２種接地電流測定などの検針や点検作業において、筐体の扉を開閉して作業をする場合に、アース線に触れる危険がなく、また第２種接地電流測定作業が容易であるという効果を有する。
【００１０】
しかも、キュービクル筐体の増設や筐体内の変圧器などの機器の搬入及び搬出の際に、予めアース線を取り外す作業を必要としないため、作業性に優れるという効果を有する。
【考案を実施するための最良の形態】
【００１１】
以下、本考案を実施例を示す図面を参照しながら説明するが、本考案が本実施例に限定されないことは言うまでもない。図１は、本考案のキュービクル式高圧受電設備の一実施例を示す側面説明図、図２は図１の背面説明図、図３は従来のキュービクル式高圧受電設備を示す側面説明図である。
【実施例】
【００１２】
図１、図２に示すように、本考案のキュービクル式高圧受電設備１は、箱状のキュービクル筐体１０の中に、変圧器２、高圧負荷開閉器３などの配電設備が収容されている。このキュービクル筐体１０の前方及び後方には夫々扉４、５が開閉可能に設けられており、上記の配電設備の操作や検針、点検はこの扉４、５を開いて行なうようになっている。
【００１３】
変圧器２は、キュービクル筐体１０の後部扉５近傍の下部に設置され、その上方には高圧負荷開閉器３が取付フレーム６に取り付けられ、高圧ケーブル７によって外部母線から高電圧が供給される。そして高圧負荷開閉器３から高圧リード線８を介して変圧器２の１次側端子２ａに接続し、さらに変圧器２の二次側端子２ｂから各種の計測器(図示せず）を介してキュービクル筐体１０から外部負荷と接続される。ここで二次側端子２ｂから低圧リード線９によってアース線１１と接続され、この低圧リード線を使用して第２種接地電流測定が行なわれる。
【００１４】
また変圧器２、高圧負荷開閉器３などには高電圧が加わっており、該変圧器２及び高圧負荷開閉器３側の扉５近傍には作業者がキュービクル筐体１０の扉５を開いて前記変圧器２などに誤って触れることがないように、金属製簡易バリア１２及び透明プラスチック製バリア１３が設置されている。
【００１５】
アース線１１は、銅製の金属バーからなり、変圧器２の上方で、且つ上記透明プラスチック製バリア１３と連結する金属製簡易バリア１２に平行に配設され、接地端子１４によって取付フレームに対して垂直方向に取り付けられており、裏扉５を開閉して作業を行なう作業者からは、視認できない位置となっている。そして、上述した変圧器２の２次側端子２ｂとアース線１１は低圧リード線９によって接続され、作業者の視線で作業ができる位置で第２種接地電流測定部１５が形成される。
【００１６】
上記の構成によるキュービクル式高圧受電設備によれば、利用者が受電設備の点検・検針を行なう場合に、キュービクル筐体の扉を開いて、例えばクランプメータを使用して第２種接地電流を測定する際には、変圧器の上方に形成された第２種接地電流測定部１５で測定が可能となるため、ほぼ利用者の目線で作業ができる。しかも、アース線１１は金属製簡易バリア１２に配設されているため、測定者側からは視認できない位置であり、当然触れる虞もない。
【００１７】
以上の構成からなる、本考案のキュービクル式高圧受電設備は、アース線は前記変圧器の近傍に立設する柱部材に対して垂直方向、且つ前記変圧器の上端部より上方であって、該変圧器の上方に設置された高圧負荷開閉器に対向して設けられたバリア板の下部に敷設されると共に、前記筐体の変圧器側扉の開閉によって視認されない位置に敷設されることによって、筐体の扉を開閉して作業をする場合に、アース線に触れる危険がなく、また第２種接地電流測定作業が容易である。しかも、キュービクル筐体の増設や筐体内の変圧器などの機器の搬入及び搬出の際に、予めアース線を取り外す作業を必要としないため、作業性に優れる。
【図面の簡単な説明】
【００１８】
【図１】本考案に係るキュービクル式高圧受電設備の一実施例を示す側面説明図である。
【図２】図１の背面説明図である。
【図３】従来のキュービクル式高圧受電設備を示す側面説明図である。
【符号の説明】
【００１９】
１              キュービクル式高圧受電設備
２              変圧器
２ａ            一次側端子
２ｂ            二次側端子
３              高圧負荷開閉器
４、５          扉
６              取付フレーム
７              高圧ケーブル
８              高圧リード線
９              低圧リード線
１０              キュービクル筐体
１１              アース線
１２              金属製簡易バリア
１３              透明プラスチック製バリア
１４              接地端子
１５              第２種接地電流測定部
【図１】
0003144037.tif 000003
【図２】
0003144037.tif 000004
【図３】
0003144037.tif 000005